(57)【要約】【課題】伝熱性能の向上を目的に、冷媒流通穴の内周面にリブを所定のピッチで複数個設けても、偏平チューブの厚みを増さずに、偏平チューブ内面の必要な最短距離を確保することができる構成の熱交換器用偏平チューブの提供を目的とする。【解決手段】冷媒流通穴２の内周面に、所定のピッチで、一つの冷媒流通穴に対しそれぞれ２〜１０個、０．０５ｍｍ〜０．１６ｍｍの高さで設けるリブ４を、対向する面同士で、リブ４の所定ピッチの半分だけずらして配置することによって、偏平チューブの厚みを増さずに、偏平チューブ内面の必要な最短距離を確保することができる。【選択図】図１
2006162085.tif 000002
【特許請求の範囲】
【請求項１】
内部に断面形状が略長方形で、隔壁を挟んで略長方形の短辺側で隣り合う複数の冷媒流通穴を有し、かつ前記冷媒流通穴の内周面に、リブを所定のピッチで、対向面に対して前記リブの所定ピッチの半分ずらした位置に、複数個設けてなることを特徴とする熱交換器用偏平チューブ。
【請求項２】
前記冷媒流通穴の流体直径を０．５ｍｍ〜２．０ｍｍとしたことを特徴とする請求項１に記載の熱交換器用偏平チューブ。
【請求項３】
前記リブの断面形状を略三角形とし、その高さを０．０５ｍｍ〜０．１６ｍｍとしたことを特徴とする請求項１または請求項２のいずれかに記載の熱交換器用偏平チューブ。
【請求項４】
１穴当たりの前記リブの数を２〜１０個としたことを特徴とする請求項１〜３のいずれかに記載の熱交換器用偏平チューブ。
【請求項５】
前記偏平チューブを押出し成形で製造することを特徴とする請求項１〜４のいずれかに記載の熱交換器用偏平チューブ。
【請求項６】
内部を流通させる冷媒として、ＨＦＣ冷媒またはＨＣ冷媒またはＣＯ２冷媒のいずれかまたはそれらの混合冷媒を使用することを特徴とする請求項１〜５のいずれかに記載の熱交換器用偏平チューブ。
【発明の詳細な説明】
【技術分野】
【０００１】
本発明は、ルームエアコン、パッケージエアコン、カーエアコンなどの熱交換器に用いられる偏平チューブに関するものである。
【背景技術】
【０００２】
従来、この種の熱交換器用偏平チューブとしては、例えば、特許文献１に記載されているようなものがあった。図２は前記特許文献に記載された従来の熱交換器用偏平チューブを示している。図２における従来の熱交換器用偏平チューブは、内部に隔壁２１を有し、この隔壁２１で仕切られた個々の穴２２内を冷媒が流通するようになっている。穴２２の内壁の上下面には、伝熱性能の改善を狙い、上下面それぞれ３個づつ対向して内部に突出するリブ（突起）２３が所定のピッチで形成されている。
【特許文献１】特開２００２−３１８０８６号公報（第２−３頁、第４図）
【発明の開示】
【発明が解決しようとする課題】
【０００３】
しかしながら、前記従来の構成では、所定のピッチで形成されたリブ２３が冷媒流通穴の向かい合う上下２つの面の同じ位置に配置されているので、偏平チューブの内面の距離Ｌがこの部分で最短になり、何らかの原因で冷凍サイクル内にスケールが発生したとき、この最短距離の部分でスケールが詰まる懸念があった。実際には、スケールが詰まる万一の場合に備えて、偏平チューブの厚みを増す必要があり、材料コストが高くなり、不経済であった。
【０００４】
本発明は、上記課題を解決するために、冷媒流通穴の内周面に、リブを、所定のピッチで、対向面に対してリブの所定ピッチの半分だけずらした位置に、複数個設ける。その結果、リブにより、優れた伝熱性能を得るとともに、偏平チューブの厚みを増さずに、偏平チューブ内面の必要な最短距離を確保し、スケールが詰まるのを避けることができる。
【課題を解決するための手段】
【０００５】
前記従来の課題を解決するため、本発明の熱交換器用偏平チューブは、冷媒流通穴の内周面に、リブを所定のピッチで、対向面に対してリブの所定ピッチの半分ずらした位置に、複数個設ける。この構成によって、偏平チューブの厚みを増さずに、偏平チューブ内面の必要な最短距離を確保することができる。
【発明の効果】
【０００６】
本発明の熱交換器用チューブによれば、冷媒流通穴の内周面に、所定のピッチで複数個設けるリブを、対向する面同士で、リブの所定ピッチの半分だけずらして配置するので、偏平チューブの厚みを増さずに、偏平チューブ内面の必要な最短距離を確保することができる。
【発明を実施するための最良の形態】
【０００７】
以下に、本発明の実施の形態について、図面を参照しながら説明する。
【０００８】
（実施の形態１）
図１は、本発明の実施の形態１における熱交換器用偏平チューブの断面図である。
【０００９】
図１において、本発明の実施の形態における熱交換器用偏平チューブは、押出し成形で製造され、内部に断面形状が略長方形で、隔壁３を挟んで略長方形の短辺側で隣り合う複
数の、具体的には５つの冷媒流通穴２を有し、かつ前記冷媒流通穴２の内周面に、内部に突出する断面形状が略三角形で、高さＨが０．０５ｍｍ〜０．１６ｍｍのリブ４を所定のピッチＰで、対向する上下面に対して前記リブ４の所定ピッチＰの半分（Ｐ／２）だけずらした位置に複数個、具体的には一つの冷媒流通穴２に対しそれぞれ６個設けられている。
【００１０】
なお、前記冷媒流通穴２の流体直径Ｄ〔Ｄ＝４×穴断面の面積／穴断面の周長＝２×長辺×短辺／（長辺＋短辺）〕は０．５ｍｍ〜２．０ｍｍの範囲に設定されている。
【００１１】
熱交換器用偏平チューブの内部を流通させる冷媒としては、ＨＦＣ冷媒またはＨＣ冷媒またはＣＯ２冷媒のいずれか、またはそれらの混合冷媒を使用する。
【００１２】
以上のように構成された熱交換器用偏平チューブにおいて、冷媒流通穴２の内周面に、リブ４を所定のピッチＰで、対向する上下面に対してリブ４の所定ピッチＰの半分（Ｐ／２）だけずらした位置に、設けられているので、偏平チューブの厚みＴを増すことなく、偏平チューブ内面に必要な最短距離Ｌを確保することができる。
【００１３】
また、前記冷媒流通穴２の流体直径Ｄ〔Ｄ＝４×穴断面の面積／穴断面の周長＝２×長辺×短辺／（長辺＋短辺）〕は０．５ｍｍ〜２．０ｍｍの範囲であり、前記リブ４は断面形状が略三角形で、高さＨが０．０５ｍｍ〜０．１６ｍｍで、一つの冷媒流通穴２に対しそれぞれ６個設けられているので、あまり冷媒流通抵抗を上げず、冷媒側熱伝達率を向上させることができ、優れた熱交換能力を得ることができる。
【００１４】
また、熱交換器用偏平チューブの内部を流通させる冷媒としては、ＨＦＣ冷媒またはＨＣ冷媒またはＣＯ２冷媒のいずれか、またはそれらの混合冷媒を使用するので、環境に配慮した商品であり、熱交換器用偏平チューブの内部容積が小さく、使用する冷媒量を削減することができる。
【００１５】
なお、本発明の実施の形態における熱交換器用偏平チューブは、押出し成形で製造するので、生産工数、製造コストは、従来の熱交換器用偏平チューブと同程度とすることができる。
【００１６】
本実施の形態においては、１穴当たりの前記リブ４の数を６個としたが、２〜１０個の範囲であれば、ほぼ同様の伝熱特性を得ることができる。
【００１７】
また、本発明の実施の形態における熱交換器用偏平チューブは、リブ４を対向する上下面にだけ設けたが、隔壁３にも設けることにより、若干であるがさらに優れた熱交換能力を得ることができる。
【産業上の利用可能性】
【００１８】
本発明にかかる熱交換器用偏平チューブは、冷媒流通穴の内周面に、伝熱性能の改善を目的に、所定のピッチで、一つの冷媒流通穴に対しそれぞれ２〜１０個、０．０５ｍｍ〜０．１６ｍｍの高さで設けるリブを、対向する面同士で、リブの所定ピッチの半分だけずらして配置することにより、偏平チューブの厚みを増さずに、偏平チューブ内面の必要な最短距離を確保することができるので、空気調和機や冷凍機などに用いられる熱交換器用偏平チューブとして有用である。
【図面の簡単な説明】
【００１９】
【図１】本発明の実施の形態における熱交換器用偏平チューブの断面図
【図２】従来の熱交換器用偏平チューブの断面図
【符号の説明】
【００２０】
１  熱交換器用偏平チューブ
２  冷媒流通穴
３  隔壁
４  リブ
【図１】
2006162085.tif 000003
【図２】
2006162085.tif 000004